(57)【要約】【課題】内輪軌道面を直接視認可能な保持器を提供する。【解決手段】軸受の内輪１と外輪２との間に配設される複数の転動体３をポケット４ａ内に保持する保持器４であって、ポケット４ａ相互間の少なくとも一つの保持器柱部に、内輪１の軌道面１ａに向けて開口した点検窓４ｂを形成する。点検窓４ｂに拡大レンズ５を嵌合する。【選択図】図４
2008032146.tif 000002
【特許請求の範囲】
【請求項１】
軸受の内輪と外輪との間に配設される複数の転動体をポケット内に保持する保持器であって、前記ポケット相互間の少なくとも一つの保持器柱部に、内輪の軌道面に向けて開口した点検窓を形成し、この点検窓に拡大レンズを嵌合したことを特徴とする軸受用保持器。
【請求項２】
点検窓の内面に反射面を形成したことを特徴とする請求項１に記載の軸受用保持器。
【請求項３】
点検窓の内部または点検窓の近傍に光ファイバーを挿入可能な光ファイバー挿入部を形成したことを特徴とする請求項１又は２に記載の軸受用保持器。
【請求項４】
軸受の内輪と外輪との間に配設される複数の転動体をポケット内に保持する保持器の前記ポケット相互間の少なくとも一つの保持器柱部に、内輪の軌道面に向けて開口した点検窓を形成すると共に、この点検窓に向けて撮像カメラを配置し、内輪と保持器を相対回転させながら撮像カメラによって内輪軌道面を撮像し、得られた画像に基づいて内輪軌道面の異常の有無を画像診断することを特徴とする内輪軌道面の点検方法。
【発明の詳細な説明】
【技術分野】
【０００１】
本発明は軸受用保持器に係り、特に保持器のポケット相互間の柱部に内輪軌道面を覗くための点検窓を形成した保持器に関する。
【背景技術】
【０００２】
従来、鉄道用車両や圧延機のロールネック用軸受などに使用される円筒ころ軸受や円すいころ軸受は、定期検査により軸受単体として取り出され点検される。この際、内輪は保持器ところが組み付けられたアッシー状態で取り出されて点検される。なお、保持器の構造に関するものとして例えば以下の特許文献が知られている。
【特許文献１】特開２０００−７４０７３号公報
【特許文献２】特開２００２−２２１２２２号公報
【発明の開示】
【発明が解決しようとする課題】
【０００３】
しかしながら、内輪軌道面は保持器ところが組み付けられているので直接視認することができず、従来の検査は内輪の回転調子と異音検査に依存しているのが実情である。
【０００４】
本発明は、斯かる実情に鑑み、内輪軌道面を直接視認可能な保持器を提供しようとするものである。
【課題を解決するための手段】
【０００５】
請求項１に係る発明は、軸受の内輪と外輪との間に配設される複数の転動体をポケット内に保持する保持器であって、前記ポケット相互間の少なくとも一つの保持器柱部に、内輪の軌道面に向けて開口した点検窓を形成し、この点検窓に拡大レンズを嵌合したことを特徴とする。点検窓は一つの柱部に一つ又は複数形成するか、複数の柱部に一つずつ又は複数形成することができる。保持器の重量バランスを取るためには複数の点検窓を周方向に均等配分で形成するのがよい。内輪軌道面の微細な傷や剥離を見逃さないためには拡大レンズの使用が有効である。その際、拡大レンズが点検窓に一体に取り出けられていると拡大レンズを手で持たずに済み作業能率が向上する。
【０００６】
請求項２に係る発明は、請求項１の発明において、点検窓の内面に反射面を形成したことを特徴とする。内輪軌道面は保持器の点検窓の奥にあるから、照明光が内輪軌道面まで届きにくい。点検窓の内面に反射面を形成しておけば内輪軌道面の照度が上がり点検しやすくなる。
【０００７】
請求項３に係る発明は、請求項１又は２の発明において、点検窓の内部または点検窓の近傍に照明用光ファイバーを挿入可能な光ファイバー挿入部を形成したことを特徴とする。照明用光ファイバーの使用により内輪軌道面の照度がさらに上がりより点検しやすくなる。
【０００８】
請求項４に係る発明は内輪軌道面の点検方法であって、軸受の内輪と外輪との間に配設される複数の転動体をポケット内に保持する保持器の前記ポケット相互間の少なくとも一つの保持器柱部に、内輪の軌道面に向けて開口した点検窓を形成すると共に、この点検窓に向けて撮像カメラを配置し、内輪と保持器を相対回転させながら撮像カメラによって内輪軌道面を撮像し、得られた画像に基づいて内輪軌道面の異常の有無を画像診断することを特徴とする。このように撮像カメラを使用すれば内輪軌道面の点検を高精度で自動化することができる。
また、点検窓に拡大レンズを嵌合すると共に点検窓の近傍に光ファイバーを挿入すれば、拡大レンズを通して得られた内輪軌道面の画像を光ファイバーを介して離れた場所に伝送することも可能である。
【発明の効果】
【０００９】
本発明の保持器によれば、ころを保持するポケット相互間の柱部に点検窓を形成したので、内輪軌道面を点検窓を通して直接目視点検可能であり、従来のように回転調子で異音の有無による検査に依存する必要がなく、内輪軌道面点検作業の能率と信頼性を向上させることができる。また、点検窓に拡大レンズを嵌合したから、内輪軌道面の微細な傷や剥離を発見しやすく、しかも拡大レンズを手で持たないで済むから作業能率が向上する。また、点検窓に拡大レンズを嵌合すると共に点検窓の近傍に光ファイバーを挿入することにより、拡大レンズを通して得られた内輪軌道面の画像を光ファイバーを介して離れた場所に伝送し内輪軌道面の異常の有無を離れた場所で画像診断することも可能となる。
【発明を実施するための最良の形態】
【００１０】
以下、本発明の実施の形態を添付図面を参照して説明する。図１〜図５は本発明を実施する形態を示す。内輪１、外輪２および転動体（円筒ころ３）は従来と同じである。すなわち、円筒状の外輪２内に円筒状の内輪１が収容され、内外輪の軌道面１ａ、２ａ相互間に転動体としての円筒ころ３が複数配設される。円筒ころ３は樹脂製または金属製の筒状保持器４によって周方向等間隔に保持される。保持器４は内輪案内、外輪案内または転動体案内によって周方向に案内される。図示例では保持器４が外輪２と内輪１と非接触の転動体案内を示す。転動体案内では図３のように円筒ころ３を保持する保持器ポケット４ａの外径側の開口幅Ｗがころ径Ｄよりも幅狭に形成される。これによりポケット４ａ内面が円筒ころ３の外周面に接して保持器４の半径方向の振れが規制される。
【００１１】
本発明の保持器４は、図２に明示するように、保持器４のポケット相互間の少なくとも一つの柱部に、内輪軌道面１ａを覗くための点検窓４ｂが形成される。点検窓４ｂは図示例では横長形状で両端を応力集中緩和のため円弧状としたものを示すが、点検窓４ｂの形状はこれに限らず例えば細長矩形、楕円形、円形なと任意である。一つの柱部に形成する点検窓４ｂは原則一つで十分であるが、柱部の強度が満足される限り複数の点検窓４ｂを形成しても特に差し支えない。また、複数の柱部に周方向位置が互いに重ならないように複数の点検窓４ｂを分散して形成してもよい。
【００１２】
このように、柱部に点検窓４ｂを形成すると、内輪１と保持器４とを相対回転させることにより内輪軌道面１ａの全周を目視確認することができる。したがって、内輪軌道面１ａの傷の有無と程度を短時間で容易かつ正確に確認することができる。
【００１３】
また、点検窓４ｂがあれば内輪軌道面１ａの点検を人間の目視点検に依存するのでなく、撮像カメラを使用した自動点検も可能である。すなわち、点検窓４ｂに臨んで撮像カメラを取り付け、この状態で内輪を回転させて内輪軌道面１ａの画像を連続的に採取する。得られた内輪軌道面１ａの画像を、画像診断装置を用いて、正常な内輪軌道面１ａの画像であるか、傷が付いて異常な内輪軌道面１ａの画像であるかを自動診断することも可能である。
【００１４】
撮像カメラを使わないで作業者による目視点検をする場合、点検窓４ｂに拡大レンズ５を嵌合固定しておくとよい。内輪軌道面１ａの微細な傷や剥離は裸眼では確認しにくい。これらの傷や剥離も見逃さないためには拡大レンズを使用するのがよい。携帯用拡大レンズを手で持ったままでは作業がしにくい。そこで点検窓４ｂの内径に拡大レンズ５を嵌合する。このようにすれば、点検作業で拡大レンズを手で持つ必要がないから作業能率が向上する。点検窓４ｂに対する拡大レンズ５の位置も一定であるから内輪軌道面１ａを覗きやすい。拡大レンズ５はガラス製よりも軽量で割れにくい樹脂製がよい。拡大レンズ５は万一にも点検窓４ｂから外れることがないように、点検窓４ｂの内径を内輪軌道面１ａ側に向かって末広がりのテーパ状にし、拡大レンズ５の外径をこのテーパ状に合わせて成形するとよい。拡大レンズ５の側面と点検窓４ｂとの間には接着剤などを塗布する。
【００１５】
内輪軌道面１ａの目視点検では通常照明器具を使用する。その場合、点検窓４ｂから内輪軌道面１ａまで照明光が届きにくい。そこで、図５のように点検窓４ｂの内面に反射面６を形成するとよい。反射面６は点検窓４ｂの内面を平滑加工することによって形成可能であるが、反射性金属板や反射テープを貼り付けて簡単に形成することもできる。反射面６は照明光の集光性を考慮すると内輪軌道面１ａ側に向かって末広がりのテーパ状とするのがよい。なお、図４の拡大レンズ５と図５の反射面６を組み合わせて構成してもよい。
【００１６】
また、点検窓４ｂの内部に必要に応じて光ファイバーなどの照明手段を挿入可能なように点検窓４ｂの一部に、あるいは点検窓４ｂとは別に、光ファイバー挿入部を形成してもよい。内輪軌道面１ａに近接して光ファイバーの先端を挿入すれば内輪軌道面の照度が上がり点検しやすくなる。また、拡大レンズの一部を光拡散性にすると共にこの拡大レンズに光ファイバーを連結して拡大レンズ自体を発光させるようにしてもよい。
【００１７】
以上、本発明の実施形態につき説明したが、本発明は上記した実施の形態に限定されるものではなく、本発明の要旨を逸脱しない範囲内において種々変更を加え得ることは勿論である。
【図面の簡単な説明】
【００１８】
【図１】軸受の縦断面図。
【図２】保持器の展開平面図。
【図３】保持器の断面図。
【図４】点検窓の変形例を示すもので、（Ａ）は保持器の部分斜視図、（Ｂ）は保持器の部分断面図。
【図５】点検窓のさらに別の変形例を示す保持器の部分断面図。
【符号の説明】
【００１９】
１     内輪
２     外輪
１ａ、２ａ    軌道面
４     保持器
４ａ   ポケット
４ｂ   点検窓
５     拡大レンズ
６     反射面
【図１】
2008032146.tif 000003
【図２】
2008032146.tif 000004
【図３】
2008032146.tif 000005
【図４】
2008032146.tif 000006
【図５】
2008032146.tif 000007